(57)【要約】  本発明は、少なくとも１つのネットワークセル（ＢＳＳ）を含む無線通信ネットワークにおける通信方法を提供し、各セルはアクセスポイント（ＡＰ）によって管理される少なくとも１つのステーション（非ＡＰ）を含み、当該方法は、アクセスポイント（ＡＰ）によって管理される少なくとも１つのステーション（非ＡＰ）を含む少なくとも１つのネットワークセル（ＢＳＳ）を含む無線通信ネットワークにおける通信方法を提供し、当該方法は、アクセスポイントにおいて、アクセスポイントのネットワークセルの少なくとも１つのステーションにウェイクアップ無線（ＷＵＲ）フレームを送信するステップと、更新情報を含むプライマリチャネル無線（ＰＣＲ）フレームを送信するステップであって、当該ＰＣＲフレームはアクセスポイントのネットワークセルの少なくとも１つのステーションに送信される、送信するステップと、を含む。【選択図】図６
2021520148.tif 000002
【特許請求の範囲】
【請求項１】
少なくとも１つのネットワークセル（ＢＳＳ）を含む無線通信ネットワークにおける通信方法であって、各セルはアクセスポイント（ＡＰ）によって管理される少なくとも１つのステーション（非ＡＰ）を含み、前記方法は、前記アクセスポイントにおいて、
前記アクセスポイントのネットワークセルの少なくとも１つのステーションにウェイクアップ無線（ＷＵＲ）フレームを送信するステップと、
更新情報を含むプライマリチャネル無線（ＰＣＲ）フレームを送信するステップであって、該ＰＣＲフレームは前記アクセスポイントのネットワークセルの前記少なくとも１つのステーションに送信される、前記送信するステップと、
を含む方法。
【請求項２】
前記ＰＣＲフレームは、前記アクセスポイントのネットワークセルのアウェイクである全てのステーションに送信されるＰＣＲブロードキャストフレームである
請求項１に記載の通信方法。
【請求項３】
前記ＷＵＲフレームは、前記アクセスポイントのネットワークセルのドーズモードにある全てのステーションをウェイクアップするためのＷＵＲブロードキャストフレームである
請求項２に記載の通信方法。
【請求項４】
前記ＷＵＲフレームは前記更新情報を含み、前記アクセスポイントのネットワークセルのドーズモードにある全てのステーションに、これらをウェイクアップすることなく送信される
請求項２に記載の通信方法。
【請求項５】
前記ウェイクアップ無線（ＷＵＲ）フレームを送信するステップは、
前記更新情報を受信するためのユーザ要求の受信、
前記ネットワークセルのステーションからのメッセージの受信、
ネットワーク変更、サービス品質低下、前記ネットワークセル内の新しいステーションの到着
のイベントのうち少なくとも１つのイベントを検出したときに実行される
請求項１から３の何れか１項に記載の通信方法。
【請求項６】
前記ネットワークセルのステーションからの前記メッセージは、ウェイクアップＩＤ識別子間、グループＩＤ識別子間、または、送信ＩＤ識別子間で衝突が発生したことを示すアクションタイプフィールドを有するアクションフレームである
請求項５に記載の方法。
【請求項７】
少なくとも１つのネットワークセル（ＢＳＳ）を含む無線通信ネットワークにおける通信方法であって、各セルはアクセスポイント（ＡＰ）によって管理される少なくとも１つのステーション（非ＡＰ）を含み、前記方法は、前記アクセスポイントにおいて、
所与のステーションがドーズモードにあるかアウェイクにあるかを決定するステップと、
前記所与のステーションがドーズモードにある場合に、前記所与のステーションへのウェイクアップ無線（ＷＵＲ）ユニキャストフレームと更新情報とを送信するステップと、
前記所与のステーションがアウェイクにある場合に、ＰＣＲユニキャストフレームを前記所与のステーションに送信するステップであって、該ＰＣＲユニキャストフレームは前記更新情報を含む、前記送信するステップと、
を含む方法。
【請求項８】
前記ＷＵＲユニキャストフレームは前記更新情報を含む
請求項７に記載の通信方法。
【請求項９】
前記ＷＵＲユニキャストフレームは、前記所定のステーションをウェイクアップするためのＷＵＲユニキャストウェイクアップフレームであり、
前記方法は、前記所定のステーションにＰＣＲユニキャストフレームを送信するステップをさらに含み、
前記ＰＣＲユニキャストフレームは、前記更新情報を含む
請求項７に記載の通信方法。
【請求項１０】
前記所与のステーションがドーズモードにあるかアウェイクにあるかを決定するステップは、
前記更新情報を受信するためのユーザ要求の受信、
前記ネットワークセルのステーションからのメッセージの受信、
ネットワーク変更、サービス品質低下、前記ネットワークセル内の新しいステーションの到着
のイベントのうち少なくとも１つのイベントを検出したときに実行される
請求項７から９の何れか１項に記載の通信方法。
【請求項１１】
前記ネットワークセルのステーションからの前記メッセージは、ウェイクアップＩＤ識別子間、グループＩＤ識別子間、または、送信ＩＤ識別子間で衝突が発生したことを示すアクションタイプフィールドを有するアクションフレームである
請求項１０に記載の方法。
【請求項１２】
前記更新情報は、ＷＵＲ識別子修正情報を含む
請求項１から１１の何れか１項に記載の通信方法。
【請求項１３】
前記ＷＵＲ識別子修正情報は、新しいＷＵＲ識別子である
請求項１２に記載の通信方法。
【請求項１４】
前記新しいＷＵＲ識別子は、ウェイクアップＩＤ、グループＩＤまたは送信ＩＤである
請求項１３に記載の通信方法。
【請求項１５】
前記ＷＵＲ識別子修正情報は、ＷＵＲフレームのフレームチェックシーケンス（ＦＣＳ）を計算するために適用されるハッシュ関数の識別子である
請求項１２に記載の通信方法。
【請求項１６】
前記更新情報は、最小ウェイクアップ継続時間、前記ステーションがＷＵＲフレームを受信可能な期間、前記アクセスポイントから前記ステーションへのＷＵＲフレームの送信に使用され得る利用可能な周波数バンドおよびチャネル、ＷＵＲチャネル、ＷＵＲビーコン、のうちの何れか１つのＷＵＲパラメータの新しい値を含む
請求項１から１５の何れか１項に記載の通信方法。
【請求項１７】
前記更新情報は、ハイスループット動作チャネルの幅、チャネル周波数、確認応答ポリシー、サービス品質パラメータ、変調および符号化スキーム（ＭＣＳ）、ＲＴＳ閾値、ショートリトライリミット、ＯＣＷｍｉｎ、ＴＢＴＴあたりのトリガフレーム数、のうちの所与のＷＬＡＮパラメータの新しい値を含む
請求項１から１６の何れか１項に記載の通信方法。
【請求項１８】
装置内のマイクロプロセッサまたはコンピュータシステムによって実行されると、該装置に請求項１および７に記載の方法を実行させるプログラムを格納した非一時的コンピュータ可読媒体。
【請求項１９】
少なくとも１つのネットワークセル（ＢＳＳ）を含む無線通信ネットワークにおけるアクセスポイント（ＡＰ）であって、各セルはアクセスポイント（ＡＰ）によって管理される少なくとも１つのステーション（非ＡＰ）を含み、前記アクセスポイントは、
前記アクセスポイントのネットワークセルの少なくとも１つのステーションにウェイクアップ無線（ＷＵＲ）フレームを送信するステップと、
更新情報を含むプライマリチャネル無線（ＰＣＲ）フレームを送信するステップであって、該ＰＣＲフレームは前記アクセスポイントのネットワークセルの少なくとも１つのステーションに送信される、前記送信するステップと、
を実行するように構成された少なくとも１つのマイクロプロセッサを含む
アクセスポイント。
【請求項２０】
少なくとも１つのネットワークセル（ＢＳＳ）を含む無線通信ネットワークにおけるアクセスポイント（ＡＰ）であって、各セルはアクセスポイント（ＡＰ）によって管理される少なくとも１つのステーション（非ＡＰ）を含み、前記アクセスポイントは、
所与のステーションがドーズモードにあるかアウェイクにあるかを決定するステップと、
前記所与のステーションがドーズモードにある場合に、前記所与のステーションへのウェイクアップ無線（ＷＵＲ）ユニキャストフレームと更新情報とを送信するステップと、
前記所与のステーションがアウェイクにある場合に、ＰＣＲユニキャストフレームを前記所与のステーションに送信するステップであって、該ＰＣＲユニキャストフレームは前記更新情報を含む、前記送信するステップと、
を実行するように構成された少なくとも１つのマイクロプロセッサを含む
アクセスポイント。
【発明の詳細な説明】
【技術分野】
【０００１】
本発明は、一般的には通信ネットワークに関し、より具体的には、各々がアクセスポイント（ＡＰ）によって管理される少なくとも１つのステーション（非ＡＰ）を含む少なくとも１つのネットワークセル（ＢＳＳ）を含む無線通信ネットワーク内で通信するための方法およびシステムに関するものである。
【０００２】
本発明は、特に８０２．１１ｂａネットワークに適用される。
【背景技術】
【０００３】
近年、セルラー電話、タブレット、ラップトップコンピュータ、ウェアラブルデバイス、ＩｏＴ（Internet of Things）デバイスなど、バッテリ駆動の装置が大きく増加している。その結果、現在、無線システム設計では、消費電力の最適利用が重要な考慮事項となっている。
【０００４】
このような状況の中、ＩＥＥＥ８０２．１１標準化団体は、新たなタスクグループであるＩＥＥＥ８０２．１１ｂａを立ち上げ、超低消費電力のウェイクアップ無線（ＷＵＲ）モジュールの定義を検討している。
【０００５】
ＩＥＥＥ８０２．１１ａ／ｂ／ｎ／ａｃ／ａｘ規格に準拠したＰＣＲと呼ばれる無線モジュールとＷＵＲモジュールを結合した無線装置が検討されている。ＷＵＲモジュールの目的は、ＰＣＲを必要な時（例えば、送信するデータがある時）にのみ、オンデマンドでウェイクアップすることである。このようにして、ＰＣＲはより頻繁にドーズモードに入ることができ、したがって、消費電力を削減することができる。ＷＵＲモジュールに関連する消費電力要件は、ウェイクアップしているときの消費電力を１００マイクロワット未満にすることを目的とした非常に強力なものである。実装によっては、ＷＵＲモジュールは常に起動しているか、ＰＣＲがドーズモードにあるときだけ起動しているかもしれない。
【０００６】
システム動作中、ＡＰは、関連する非ＡＰステーションに更新情報を送信する必要があるかもしれない。第１のケース（ブロードキャストケースと呼ばれる）では、更新情報は、関連する非ＡＰステーションのすべてまたは関連する非ＡＰステーションのグループに関係し得る。第２のケース（ユニキャストケースと呼ばれる）では、更新情報は、１つのステーションのみに関係し得る。さらに、更新情報は、ＷＵＲパラメータに対する相対的な値および／またはＰＣＲパラメータに対する相対的な値を更新するために使用され得る。
【０００７】
ブロードキャストケースでは、問題は、一部の非ＡＰステーションがＰＣＲモジュールをウェイクアップさせ、他のステーションがＰＣＲモジュールをドーズモードにし得ることである。しかし、更新情報は、全ての非ＡＰステーション（またはグループの全ての非ＡＰステーション）に送信される。したがって、更新情報を適用するために、全ての非ＡＰステーションのウェイクアップ（ＰＣＲモジュールに向けられた更新情報に対して）またはスリープ（ＷＵＲモジュールに向けられた更新情報に対して）を待つことは、待ち時間の点で制限的である。
【０００８】
同様に、ユニキャストケースでは、目標の非ＡＰステーションは、ウェイクアップにあるまたはドーズモードにあるＰＣＲモジュールを有し得、更新情報はＰＣＲモジュールまたはＷＵＲモジュールのいずれかに関係している場合がある。したがって、更新情報を適用するために、目標の非ＡＰステーションのウェイクアップ（すなわち、ＰＣＲモジュールに向けられた更新情報に対して）またはスリープ（ＷＵＲモジュールに向けられた更新情報に対して）を待つことは、待ち時間の点で同様に制限的である。
【０００９】
このように、ＡＰと、ＰＣＲモジュールとＷＵＲモジュールとを含む非ＡＰステーションと、の間の既存の通信方法を改善する必要性がある。
【発明の概要】
【００１０】
本発明は、前述の懸念のうちの１つ以上を解決するために考え出されたものである。
【００１１】
この文脈において、本発明の第１の側面によれば、少なくとも１つのネットワークセル（ＢＳＳ）を含む無線通信ネットワークにおける通信方法が提供され、各セルはアクセスポイント（ＡＰ）によって管理される少なくとも１つのステーション（非ＡＰ）を含み、前記方法は、前記アクセスポイントにおいて、
前記アクセスポイントのネットワークセルの少なくとも１つのステーションにウェイクアップ無線（ＷＵＲ）フレームを送信するステップと、
更新情報を含むプライマリチャネル無線（ＰＣＲ）フレームを送信するステップであって、該ＰＣＲフレームは前記アクセスポイントのネットワークセルの前記少なくとも１つのステーションに送信される、前記送信するステップと、
を含む。
【００１２】
したがって、前記更新情報は、ＰＣＲモジュール／ＷＵＲモジュールがウェイクアップしているかドーズモードにあるかに関係なく、遅延なしで全てのステーションに適用され得る。
【００１３】
これに対応して、少なくとも１つのネットワークセル（ＢＳＳ）を含む無線通信ネットワークにおけるアクセスポイント（ＡＰ）が提供され、各セルはアクセスポイント（ＡＰ）によって管理される少なくとも１つのステーション（非ＡＰ）を含み、前記アクセスポイントは、
前記アクセスポイントのネットワークセルの少なくとも１つのステーションにウェイクアップ無線（ＷＵＲ）フレームを送信するステップと、
更新情報を含むプライマリチャネル無線（ＰＣＲ）フレームを送信するステップであって、該ＰＣＲフレームは前記アクセスポイントのネットワークセルの少なくとも１つのステーションに送信される、前記送信するステップと、
を実行するように構成された少なくとも１つのマイクロプロセッサを含む。
【００１４】
アクセスポイントは、上記で定義された第１の側面に従った方法と同様の利点を有する。
【００１５】
本発明のオプションの特徴は、添付の従属請求項にさらに定義されている。これらの特徴のいくつかは、以下に方法を参照して説明されるが、それらは本発明に従った任意のアクセスポイントに専用の装置特徴に置き換えることができる。
【００１６】
実施形態によれば、前記ＰＣＲフレームは、前記アクセスポイントのネットワークセルのアウェイクである全てのステーションに送信されるＰＣＲブロードキャストフレームである。
【００１７】
実施形態によれば、前記ＷＵＲフレームは、前記アクセスポイントのネットワークセルのドーズモードにある全てのステーションをウェイクアップするためのＷＵＲブロードキャストフレームである。
【００１８】
実施形態によれば、前記ＷＵＲフレームは前記更新情報を含み、前記アクセスポイントのネットワークセルのドーズモードにある全てのステーションに、これらをウェイクアップすることなく送信される。
【００１９】
実施形態によれば、前記ウェイクアップ無線（ＷＵＲ）フレームを送信するステップは、
前記更新情報を受信するためのユーザ要求の受信、
前記ネットワークセルのステーションからのメッセージの受信、
ネットワーク変更、サービス品質低下、前記ネットワークセル内の新しいステーションの到着
のイベントのうち少なくとも１つのイベントを検出したときに実行される。
【００２０】
実施形態によれば、前記ネットワークセルのステーションからの前記メッセージは、衝突が発生したことを示すアクションタイプフィールドを有するアクションフレームである。
【００２１】
実施形態によれば、前記ネットワークセルのステーションからの前記メッセージは、ウェイクアップＩＤ識別子間、グループＩＤ識別子間、または、送信ＩＤ識別子間で衝突が発生したことを示すアクションタイプフィールドを有するアクションフレームである。
【００２２】
実施形態によれば、前記更新情報は、ＷＵＲ識別子修正情報を含む。
【００２３】
実施形態によれば、前記ＷＵＲ識別子修正情報は、新しいＷＵＲ識別子である。
【００２４】
実施形態によれば、前記新しいＷＵＲ識別子は、ウェイクアップＩＤ、グループＩＤまたは送信ＩＤである。
【００２５】
実施形態によれば、前記ＷＵＲ識別子修正情報は、ＷＵＲフレームのフレームチェックシーケンス（ＦＣＳ）を計算するために適用されるハッシュ関数の識別子である。例えば、前記ハッシュ関数は、ＡＰのＢＳＳＩＤの最初の（または最後の）１２ビットに基づき得る。また、ＸＯＲに基づき得る。
【００２６】
実施形態によれば、前記更新情報は、最小ウェイクアップ期間、前記ステーションがＷＵＲフレームを受信可能な期間、前記アクセスポイントから前記ステーションへのＷＵＲフレームの送信に使用され得る利用可能な周波数バンドおよびチャネル、ＷＵＲチャネル、ＷＵＲビーコン、のうちの何れか１つのＷＵＲパラメータの新しい値を含む。
【００２７】
実施形態によれば、前記更新情報は、ハイスループット動作チャネルの幅、チャネル周波数、確認応答ポリシー、サービス品質パラメータ、変調および符号化スキーム（ＭＣＳ）、ＲＴＳ閾値、ショートリトライリミット、ＯＣＷｍｉｎ、ＴＢＴＴあたりのトリガフレーム数、のうちの所与のＷＬＡＮパラメータの新しい値を含む。
【００２８】
本発明の第２の側面によれば、少なくとも１つのネットワークセル（ＢＳＳ）を含む無線通信ネットワークにおける通信方法が提供され、各セルはアクセスポイント（ＡＰ）によって管理される少なくとも１つのステーション（非ＡＰ）を含み、前記方法は、前記アクセスポイントにおいて、
所与のステーションがドーズモードにあるかアウェイクにあるかを決定するステップと、
前記所与のステーションがドーズモードにある場合に、前記所与のステーションへのウェイクアップ無線（ＷＵＲ）ユニキャストフレームと更新情報とを送信するステップと、
前記所与のステーションがアウェイクにある場合に、ＰＣＲユニキャストフレームを前記所与のステーションに送信するステップであって、該ＰＣＲユニキャストフレームは前記更新情報を含む、前記送信するステップと、
を含む。
【００２９】
したがって、前記更新情報は、ＰＣＲモジュール／ＷＵＲモジュールがウェイクアップしているかドーズモードにあるかに関係なく、遅延なしで目標のステーションに適用され得る。
【００３０】
これに対応して、少なくとも１つのネットワークセル（ＢＳＳ）を含む無線通信ネットワークにおけるアクセスポイント（ＡＰ）が提供され、各セルはアクセスポイント（ＡＰ）によって管理される少なくとも１つのステーション（非ＡＰ）を含み、前記アクセスポイントは、
所与のステーションがドーズモードにあるかアウェイクにあるかを決定するステップと、
前記所与のステーションがドーズモードにある場合に、前記所与のステーションへのウェイクアップ無線（ＷＵＲ）ユニキャストフレームと更新情報とを送信するステップと、
前記所与のステーションがアウェイクにある場合に、ＰＣＲユニキャストフレームを前記所与のステーションに送信するステップであって、該ＰＣＲユニキャストフレームは前記更新情報を含む、前記送信するステップと、
を実行するように構成された少なくとも１つのマイクロプロセッサを含む。
【００３１】
アクセスポイントは、上記で定義された第２の側面に従った方法と同様の利点を有する。
【００３２】
本発明のオプションの特徴は、添付の従属請求項にさらに定義されている。これらの特徴のいくつかは、以下に方法を参照して説明されるが、それらは本発明に従った任意のアクセスポイントに専用の装置特徴に置き換えることができる。
【００３３】
実施形態によれば、前記ＷＵＲユニキャストフレームは前記更新情報を含む。
【００３４】
実施形態によれば、前記ＷＵＲユニキャストフレームは、前記所定のステーションをウェイクアップするためのＷＵＲユニキャストウェイクアップフレームであり、
前記方法は、前記所定のステーションにＰＣＲユニキャストフレームを送信するステップをさらに含み、
前記ＰＣＲユニキャストフレームは、前記更新情報を含む。
【００３５】
実施形態によれば、前記所与のステーションがドーズモードにあるかアウェイクにあるかを決定するステップは、
前記更新情報を受信するためのユーザ要求の受信、
前記ネットワークセルのステーションからのメッセージの受信、
ネットワーク変更、サービス品質低下、前記ネットワークセル内の新しいステーションの到着
のイベントのうち少なくとも１つのイベントを検出したときに実行される。
【００３６】
実施形態によれば、前記ネットワークセルのステーションからの前記メッセージは、衝突が発生したことを示すアクションタイプフィールドを有するアクションフレームである。
【００３７】
実施形態によれば、前記ネットワークセルのステーションからの前記メッセージは、ウェイクアップＩＤ識別子間、グループＩＤ識別子間、または、送信ＩＤ識別子間で衝突が発生したことを示すアクションタイプフィールドを有するアクションフレームである。
【００３８】
実施形態によれば、前記更新情報は、ＷＵＲ識別子修正情報を含む。
【００３９】
実施形態によれば、前記ＷＵＲ識別子修正情報は、新しいＷＵＲ識別子である。
【００４０】
実施形態によれば、前記新しいＷＵＲ識別子は、ウェイクアップＩＤ、グループＩＤまたは送信ＩＤである。
【００４１】
実施形態によれば、前記ＷＵＲ識別子修正情報は、ＷＵＲフレームのフレームチェックシーケンス（ＦＣＳ）を計算するために適用されるハッシュ関数の識別子である。例えば、前記ハッシュ関数は、ＡＰのＢＳＳＩＤの最初の（または最後の）１２ビットに基づき得る。また、ＸＯＲに基づき得る。
【００４２】
実施形態によれば、前記更新情報は、最小ウェイクアップ期間、前記ステーションがＷＵＲフレームを受信可能な期間、前記アクセスポイントから前記ステーションへのＷＵＲフレームの送信に使用され得る利用可能な周波数バンドおよびチャネル、ＷＵＲチャネル、ＷＵＲビーコン、のうちの何れか１つのＷＵＲパラメータの新しい値を含む。
【００４３】
実施形態によれば、前記更新情報は、ハイスループット動作チャネルの幅、チャネル周波数、確認応答ポリシー、サービス品質パラメータ、変調および符号化スキーム（ＭＣＳ）、ＲＴＳ閾値、ショートリトライリミット、ＯＣＷｍｉｎ、ＴＢＴＴあたりのトリガフレーム数、のうちの所与のＷＬＡＮパラメータの新しい値を含む。
【００４４】
本発明の第３の側面によれば、前述した、少なくとも１つの通信装置ステーションとアクセスポイントとを含む無線通信ネットワークが提供される。
【００４５】
本発明の他の側面は、装置内のマイクロプロセッサまたはコンピュータシステムによって実行されると、該装置に上記で規定された任意の方法を実行させるプログラムを格納した非一時的コンピュータ可読媒体に関連する。
【００４６】
前記非一時的コンピュータ可読媒体は、方法および装置に関連して上述し後述するものと類似する特徴および利点を有し得る。
【００４７】
本発明に従った方法の少なくとも一部は、コンピュータによって実行され得る。したがって、本発明は、全体がハードウェアの実施形態、全体がソフトウェアの実施形態（ファームウェア、常駐ソフトウェア、マイクロコードなどを含む）、または本明細書で「回路」、「モジュール」または「システム」と全て一般的に呼ばれるソフトウェアおよびハードウェアの側面を組み合わせた実施形態の形態をとり得る。さらに、本発明は、媒体に具現化されたコンピュータ利用可能プログラムコードを有する任意の有形の表現媒体に具現化されたコンピュータプログラム製品の形態をとり得る。
【００４８】
本発明は、ソフトウェアで実施することができるため、本発明は、任意の適切なキャリア媒体上で、プログラム可能な装置に提供するためのコンピュータ可読コードとして具現化することができる。有形のキャリア媒体は、ハードディスクドライブ、磁気テープ装置、またはソリッドステートメモリ装置などの記憶媒体を含み得る。一時的なキャリア媒体は、電気信号、電子信号、光信号、音響信号、磁気信号、または電磁信号（例えばマイクロ波またはＲＦ信号）などの信号を含み得る。
【図面の簡単な説明】
【００４９】
本発明のさらなる利点は、図面および詳細な説明を検討すると、当業者には明らかになるであろう。本発明の実施形態を、例示のためだけに、以下の図面を参照して説明する。
【００５０】
【図１】本発明の実施形態が実施され得る無線通信システムを示す図である。
【図２】本発明の実施形態による通信装置２００の例示的なアーキテクチャを示すブロック図である。
【図３】ＩＥＥＥ８０２．１１ｂａ規格で定義されたウェイクアップ無線（ＷＵＲ）フレーム３００のフォーマットを示す図である。
【図４】ＩＥＥＥ８０２．１１ｂａ規格で定義されたＷＵＲアクションフィールドを含む８０２．１１ＭＡＣアクションフレームのフォーマットを示す図である。
【図５】図５ａ、５ｂおよび５ｃを含み、本発明の実施形態に従った、図３および図４に示されたＷＵＲフレームおよび８０２．１１ＭＡＣアクションフレーム（ＷＵＲアクションフィールドを含む）のフォーマットに追加されたフィールド／サブフィールド／値を示す図である。
【図６】図６ａおよび６ｂを含み、本発明の実施形態に従った、ブロードキャスト更新情報がＡＰによってネットワークセルの非ＡＰステーションにシグナリングされる間の通信方法のステップを、フローチャートを使用して示す図である。
【図７】図７ａおよび７ｂを含み、本発明の実施形態に従った、ＷＵＲ識別子（送信ＩＤ）修正がＡＰによってネットワークセルの非ＡＰステーションにシグナリングされる間の通信方法のステップを、フローチャートを使用して示す図である。
【図８ａ】本発明の実施形態に従った、更新情報がＡＰによって所与の非ＡＰステーションにシグナリングされる間の通信方法のステップを、フローチャートを使用して示す図である。
【図８ｂ】図８ａの変形例に従った、更新情報がＡＰによって所与の非ＡＰステーションにシグナリングされる間の通信方法のステップを、フローチャートを使用して示す図である。
【図９】本発明の実施形態に従った、ＷＵＲ識別子（ウェイクアップＩＤ）修正がＡＰによって所与の非ＡＰステーションにシグナリングされる間の通信方法のステップを、フローチャートを使用して示す図である。
【発明を実施するための形態】
【００５１】
以下の記載において、同一の参照番号により参照される全てのアイテムは同一のものである。
【００５２】
図１は、本発明の実施形態が実施され得る無線通信システムを示す。
【００５３】
無線通信システム１００は、３つの無線装置（アクセスポイント（ＡＰ）１１０、および２つの非ＡＰステーション１２０、１３０）を含む。各装置は、２つの無線通信モジュールを含む。１つ目は、プライマリ接続無線（ＰＣＲ）と呼ばれ、無線データが交換されるメイン無線に対応する。それは、例えば８０２．１１ａ／ｂ／ｎ／ａｃ／ａｘ規格で定義されているようなＩＥＥＥ８０２．１１標準技術に準拠し得る。２つ目は、ウェイクアップ無線（ＷＵＲ）またはＷＵＲモジュールまたはウェイクアップ受信機と呼ばれ、ＰＣＲのコンパニオン無線に対応する。これは、低消費電力無線機であり、その目的の一つは、ＰＣＲが他の無線機から送信または受信するデータを持っている場合にのみ、非ＡＰステーションのＰＣＲをウェイクアップすることである。
【００５４】
対応して、ＡＰ１１０は、ＰＣＲ１１２およびＷＵＲ１１４を含み、非ＡＰステーション１２０はＰＣＲ１２２およびＷＵＲ１２４を含み、非ＡＰステーション１３０はＰＣＲ１３２およびＷＵＲ１３４を含む。
【００５５】
無線通信モジュールは、データを受信し送信することができない場合、オフまたはドーズモードにあるとみなされる。逆に、無線通信は、データを受信し送信することができるときには、オン（すなわち、オンに設定されている）またはアウェイクにあるとみなされる。基本的に、非ＡＰステーションでは、ＰＣＲがオフであるときＷＵＲはオンであり、逆にＰＣＲがオンであるときＷＵＲはオフである。代替の実施形態では、ＷＵＲは常にオンであり得る。
【００５６】
図１に示すように、非ＡＰステーション１２０はＰＣＲ１２２がオフでありＷＵＲ１２４がオンであり、非ＡＰステーション１３０はＰＣＲ１３２がオンでありＷＵＲ１３４がオフである。従って、ＷＵＲ無線を使用することにより、非ＡＰステーション１２０のＰＣＲがオフであるため、非ＡＰステーション１２０の消費電力を低減することができる。
【００５７】
ＰＣＲ１３２がオンであるので、典型的な無線ＩＥＥＥ８０２．１１送信セッションの間のように、ＡＰ１１０のＰＣＲ１１２と非ＡＰステーション１３０のＰＣＲ１３２との間で、ＰＣＲフレームと呼ばれるフレーム１９０が交換され得る。このようなＰＣＲフレーム１９０は、非ＡＰステーション１２０のＰＣＲ１２２がオフであるため、非ＡＰステーション１２０のＰＣＲ１２２によって受信されない。
【００５８】
ＡＰ１１０が非ＡＰステーション１２０に送信するＰＣＲデータを持っているとき、ＡＰ１１０はＰＣＲ１２２をウェイクアップする必要がある。これを行うために、ＡＰ１１０は、ＷＵＲ１１４を使用してＷＵＲフレームと呼ばれるフレーム１８０を送信する。ＷＵＲフレームは、レガシーＩＥＥＥ８０２．１１プリアンブルと、いわゆるオン−オフキー（ＯＯＫ）スキームによって変調されたペイロードと、から構成される。以下、図３を参照してさらに説明するように、ＷＵＲフレームは、同期情報、受信機のアドレス、および他の送信情報を含む。ＷＵＲウェイクアップフレームは、非ＡＰステーションのＰＣＲモジュールをウェイクアップするために使用される特定のタイプのＷＵＲフレームである。このようなＷＵＲウェイクアップフレーム１８０は、非ＡＰステーション１２０のＷＵＲ１２４によって受信される。この後者は、ＷＵＲウェイクアップフレーム１８０がその注意のためのものであることを確認した後、ＰＣＲ１２２の注意のためのウェイクアップ信号１８５を生成し、ＰＣＲ１２２をウェイクアップさせる。この瞬間、ＰＣＲ１２２がオンとなり、ＷＵＲ１２４がオフとなり得、ＡＰ１１０のＰＣＲ１１２と非ＡＰステーション１２０のＰＣＲ１２２との間でＰＣＲ送信が開始され得る。
【００５９】
以下の説明では、ＰＣＲがメインの通信モジュールであるため、非ＡＰステーションは、ＰＣＲがオフのときはドーズモードであり、ＰＣＲがオンのときはアウェイクにあるとされている。
【００６０】
さらに、ＡＰと非ＡＰステーションとの間で電力管理が作動している場合、非ＡＰステーションは、アクティブモードまたは省電力（ＰＳ）モードのいずれかである。アクティブモードでは、非ＡＰステーションは、いつでもフレームを受信して送信することができる。言い換えれば、非ＡＰステーションは常にアウェイクにある。ＰＳモードでは、非ＡＰステーションは、フレームを受信または送信する必要がある場合にのみアウェイクになる。したがって、非ＡＰステーションは、それ以外の場合はドーズモードにある。それにもかかわらず、ドーズモードでは、非ＡＰステーションは、非ＡＰステーションがアウェイク状態に入る必要があることを示すトラフィック指示マップ（ＴＩＭ）を含み得るビーコンフレーム（ＡＰによって送信される）をリッスンするために、定期的にウェイクアップし得る。さらに、ドーズモードでは、非ＡＰステーションは、アウェイク状態にする（データを送信するため）ためにＡＰに専用のフレーム（ＰＳ−Ｐｏｌｌ）を送信することができる。その結果、ＡＰはいつでも、非ＡＰステーションの状態（すなわち、非ＡＰステーションがドーズモードにあるかアウェイクにあるか）を知ることができる。
【００６１】
図２は、本発明の実施形態による通信装置２００の例示的なアーキテクチャを示すブロック図である。例えば、通信装置２００は、図１の通信システム１００のアクセスポイント１１０または非ＡＰステーション１２０／１３０に対応し得る。
【００６２】
説明の目的のためだけに、通信装置２００は、車両、家電製品、または電子機器、ソフトウェア、センサ、およびオブジェクトが接続しデータを交換することを可能にする接続性を有する他の組み込みアイテムであり得る。より具体的には、バッテリ駆動であり、低電力の動作および通信を必要とするモノのインターネット（ＩｏＴ）装置と呼ばれる装置に好適である。
【００６３】
この例では、通信装置２００は、好ましくは、
・マイクロプロセッサなどの中央処理装置２１１（ＣＰＵと表記）；
・本発明を実施するためのコンピュータプログラムを格納するための読み出し専用メモリ２０７（ＲＯＭと表記）；
・本発明の実施形態に従った方法の実行可能コード、および本発明の実施形態に従った方法を実施するために必要な変数およびパラメータを記録するのに適合したレジスタを記憶するためのランダムアクセスメモリ２１２（ＲＡＭと表記）；より具体的には、ＲＡＭ２１２は、各々がハッシュ識別子によって特徴付けられる予め定められたＷＵＲ識別子ハッシュ関数のリストを記憶し得る；
・ＰＣＲおよびＷＵＲを含む少なくとも１つの通信インタフェース２０２。フレームは、送信のためにＲＡＭ２１２内のＦＩＦＯ送信メモリからネットワークインタフェースに書き込まれるか、または、受信のためにネットワークインタフェースから読み出され、ＣＰＵ２１１内で実行されるソフトウェアアプリケーションの制御の下でＲＡＭ２１２内のＦＩＦＯ受信メモリに書き込まれる
が接続されている通信バス２１３を含む。
【００６４】
オプションで、通信装置２００はまた、以下の構成要素を含み得る：
・本発明の１つ以上の実施形態に従った方法を実施するためのコンピュータプログラムを格納するためのハードディスクなどのデータ格納手段２０４；
・ディスク２０６のためのディスクドライブ２０５であって、ディスクドライブは、ディスク２０６からデータを読み出すか、またはディスクにデータを書き込むのに適合している；
・復号されたデータを表示するため、および／または、キーボード２１０または他のポインティング手段によって、ユーザとのグラフィカルインタフェースとして機能するためのスクリーン２０９。
【００６５】
通信装置２００は、オプションで、それぞれが、通信装置２００にデータを供給するために入出力カード（図示せず）に接続されている、例えばデジタルカメラ２０８のような様々な周辺機器に接続され得る。
【００６６】
好ましくは、通信バスは、通信装置２００に含まれるか、または通信装置２００に接続される様々な要素間の通信および相互運用性を提供する。バスの表現は限定的ではなく、特に中央処理装置は、通信装置２００の任意の要素に直接または通信装置２００の別の要素によって命令を伝達するために動作可能である。
【００６７】
ディスク２０６は、オプションで、例えばコンパクトディスク（ＣＤ−ＲＯＭ）、書き換え可能か否か、ＺＩＰディスク、ＵＳＢキー、またはメモリカードなどの任意の情報媒体、一般的には、マイクロコンピュータまたはマイクロプロセッサによって読み取ることができ、装置に統合されているか否かにかかわらず、取り外し可能であり、実行によって本発明に従った方法を実施することを可能にする１つ以上のプログラムを格納するのに適合した情報記憶手段によって置き換えられ得る。
【００６８】
実行可能コードは、オプションで、リードオンリーメモリ２０７、ハードディスク２０４、または、例えば前述したディスク２０６のようなリムーバブルデジタルメディアのいずれかに格納され得る。オプションの変形例によれば、プログラム実行可能コードは、実行される前に、ハードディスク２０４のような通信装置６００の記憶手段の１つに格納されるように、インタフェース２０２を介して、通信ネットワーク２０３によって受信することができる。
【００６９】
中央処理装置２１１は、好ましくは、本発明に従ったプログラムまたは複数のプログラムのソフトウェアコードの命令または部分の実行を制御して指示するように適合しており、これらの命令は、前述した記憶手段の１つに記憶されている。電源投入時、不揮発性メモリ（例えばハードディスク２０４またはリードオンリーメモリ２０７）に記憶されているプログラムまたは複数のプログラムは、ランダムアクセスメモリ２１２に転送され、このメモリは、その後、プログラムまたは複数のプログラムの実行可能コード、および本発明の実施に必要な変数およびパラメータを記憶するためのレジスタを含む。
【００７０】
好ましい実施形態では、装置は、本発明を実施するためにソフトウェアを使用するプログラマブル装置である。しかし、代替的に、本発明は、ハードウェア（例えば、特定用途向け集積回路（ＡＳＩＣ）の形態）で実装され得る。
【００７１】
図３は、ＩＥＥＥ８０２．１１ｂａ規格で定義されたウェイクアップ無線（ＷＵＲ）フレーム３００のフォーマットを示す。
【００７２】
ＷＵＲフレーム３００は、「フレーム制御」フィールド３１０、「アドレス」フィールド３２０、「ＴＤ制御」フィールド３３０、「フレームボディ」フィールド３４０、および「ＦＣＳ」フィールド３５０を含む。「ＦＣＳ」は、フレームチェックシーケンスのためのものである。例えば、いわゆる「ＣＲＣ」である。
【００７３】
フィールド３１０、３２０、３３０は、ＷＵＲフレームのＭＡＣヘッダを形成する。ＭＡＣヘッダ及び「ＦＣＳ」フィールド３５０は、最小のＷＵＲフレームフォーマットを形成し、全てのＷＵＲフレームに存在する。
【００７４】
「フレーム制御」フィールド３１０は、「タイプ」サブフィールド３１１と「予約」サブフィールド３１５とを含む。「タイプ」サブフィールド３１１は、ＷＵＲフレームタイプと呼ばれる、ＷＵＲフレームのタイプを示す。これは、３ビットまたは４ビットで符号化される。４つのＷＵＲフレームタイプが定義され、テーブル３１２に記載されている：値０で符号化される「ＷＵＲビーコン」、値１で符号化される「ＷＵＲウェイクアップ」、値２で符号化される「ＷＵＲベンダー固有」、値３で符号化される「ＷＵＲディスカバリ」。
【００７５】
「アドレス」フィールド３２０は、ＷＵＲ識別子と呼ばれる、ＷＵＲフレームの識別子を含む。これは、１２ビットで符号化される。３つのＷＵＲ識別子が定義され、テーブル３２５に記載されている：「送信ＩＤ」、「グループＩＤ」、「ウェイクアップＩＤ」。「送信ＩＤ」は送信するＡＰの識別子に対応し、そのような送信ＩＤを含むフレームが、識別されたＡＰによって制御されている全てのステーションの注意を引くようにする。「グループＩＤ」は、非ＡＰステーションのグループの識別子に対応する。「ウェイクアップＩＤ」は、所与の（目標の）非ＡＰステーションの識別子に対応する。
【００７６】
「フレームボディ」フィールド３４０は、特定の個々のＷＵＲフレームタイプに固有の情報を含む可変長フィールドである。
【００７７】
「ＦＣＳ」フィールド３５０は、巡回冗長検査（ＣＲＣ）を含み得る。ＣＲＣのサイズは、ＣＲＣ−８、ＣＲＣ−１６、またはＣＲＣ−３２であり得る。ＦＣＳは、ＷＵＲフレームの少なくともいくつかまたは全てのフィールド（例えば、「フレーム制御」フィールド３１０、「アドレス」フィールド３２０、「ＴＤ制御」フィールド３３０、「フレームボディ」フィールド３４０（存在する場合）、およびＢＳＳＩＤ値）に亘って計算される。これらのフィールドは、計算フィールドと呼ばれる。ＢＳＳＩＤ値は計算の一部であるが、無線媒体を介して送信されるＷＵＲフレームには含まれない。
【００７８】
各ＷＵＲフレームのフォーマットは、一般的なＷＵＲフレームのフォーマットを継承しており、ＷＵＲフレームタイプによって、いくつかのフィールドがある場合とない場合がある。
【００７９】
したがって、ＷＵＲビーコンフレームのフレームフォーマットは、「フレームボディ」フィールド３４０以外の全てのフィールドを含み得る。このフレームの場合、「フレーム制御」フィールド３１０の「タイプ」サブフィールド３１１は０に設定され、「アドレス」フィールド３２０は「送信ＩＤ」を含み得る。
【００８０】
他の例では、ＷＵＲウェイクアップフレームのフレームフォーマットは、全てのフィールドを含み得る。このようなフレームでは、「フレーム制御」フィールド３１０の「タイプ」サブフィールド３１１が１に設定され、「アドレス」フィールド３２０は、ＷＵＲフレームが個別に指定されている場合には目標の非ＡＰステーションの「ウェイクアップＩＤ」、ＷＵＲフレームがステーションのグループに指定されている場合には「グループＩＤ」、ＷＵＲフレームがブロードキャストされている場合には「送信ＩＤ」、ＷＵＲフレーム３４０のフレームボディに複数の「ウェイクアップＩＤ」が含まれている場合には０が設定される。
【００８１】
図４は、ＩＥＥＥ８０２．１１ｂａ規格で定義されたＷＵＲアクションフィールドを含む８０２．１１ＭＡＣアクションフレームのフォーマットを示している。このような場合、フレームは、ＷＵＲアクションフレームと呼ばれる。８０２．１１ＭＡＣアクションフレームは、アクションをトリガするために使用される管理フレームであることが想起される。ＷＵＲアクションフレームは、プライマリ接続無線におけるＷＵＲ動作に関連するパラメータをネゴシエートするために使用される。
【００８２】
ＷＵＲアクションフレーム４１０は、「フレームボディ」フィールド４２０内に「アクション」フィールド４２５（ＷＵＲアクションフィールドと呼ばれる）を含む。
【００８３】
「アクション」フィールド４２５は、ＷＵＲ動作に関連するパラメータをネゴシエートするために使用される「ＷＵＲモード要素」フィールド４６０を含む。それは、「アクションタイプ」フィールド４７６、「ＷＵＲモード応答ステータス」フィールド４７８、および「ＷＵＲパラメータ」フィールド４８０を含む。
【００８４】
「アクションタイプ」フィールド４７６は、ＷＵＲモード動作のタイプを識別する番号を含む。これは、８ビットで符号化され得る。ＷＵＲモード動作の６つのタイプが定義され、テーブル４７７に記載されている：値０で符号化される「エンターＷＵＲモード要求」、値１で符号化される「エンターＷＵＲモード応答」、値２で符号化される「エンターＷＵＲモードサスペンド要求」、値３で符号化される「エンターＷＵＲモードサスペンド応答」、値４で符号化される「エンターＷＵＲモードサスペンド」、値５で符号化される「エンターＷＵＲモード」である。６から２５５の間の値は予約されている。
【００８５】
「ＷＵＲモード応答ステータス」フィールド４７８は、非ＡＰＳＴＡのＷＵＲモード要求動作に応答したＡＰが返すステータスを示す。このフィールドは、「アクションタイプ」フィールド４７６が「エンターＷＵＲモード応答」または「エンターＷＵＲモードサスペンド応答」に設定されている場合にのみ有効であり、それ以外の場合は予約される。２つのステータスが定義される：値０で符号化される「受諾」と値１で符号化される「拒否」である。
【００８６】
「ＷＵＲパラメータ」フィールド４８０は、いくつかのサブフィールドを含む。ＷＵＲアクションフレーム４１０がＡＰのＷＵＲモジュールから送信される場合、「ＷＵＲ＿ＩＤ」サブフィールド４８２および「デューティサイクル情報」サブフィールド４８３を含むサブフィールドのリスト４８１を含む。「ＷＵＲ＿ＩＤ」サブフィールド４８２は、ＡＰにより管理されるＢＳＳ内のステーションを一意に識別するＷＵＲ識別子（ウェイクアップＩＤと呼ばれる）に対応する。ＷＵＲアクションフレームが非ＡＰステーションのＷＵＲモジュールから送信される場合、それは、「オン継続時間」サブフィールド４８７および「デューティサイクル周期」サブフィールド４８８を含むサブフィールド４８６のリストを含む。デューティサイクルは、非ＡＰステーションのＷＵＲがオンのときにＷＵＲフレームを受信できる周期に対応する。
【００８７】
図５ａ、５ｂ、および５ｃを含む図５は、本発明の実施形態に従った、図３および図４に示されたＷＵＲフレームおよび８０２．１１ＭＡＣアクションフレーム（ＷＵＲアクションフィールドを含む）のフォーマットに追加されたフィールド／サブフィールド／値を示している。
【００８８】
図５ａは、本発明の実施形態に従ったＷＵＲフレームのタイプをリストしたテーブル５１２を示している。現在のバージョンのＩＥＥＥ８０２．１１ｂａ（テーブル３１２によって示される）に加えて、「ＷＵＲブロードキャスト識別子修正」と呼ばれる第１の新しいＷＵＲフレームタイプが定義され、値４によって符号化され、「ＷＵＲユニキャスト識別子修正」と呼ばれる第２の新しいＷＵＲフレームタイプが定義され、値５によって符号化されている。明らかに、他のコード値を使用することができる。
【００８９】
図５ｂは、本発明の実施形態によるＷＵＲモード動作のタイプをリストしたテーブル５７７を示している。現在のバージョンのＩＥＥＥ８０２．１１ｂａ（テーブル４７７によって示される）に加えて、ＷＵＲモード動作の５つの新しいタイプが定義されている：値６で符号化される「ＷＵＲ識別子衝突識別」、値７で符号化される「ウェイクアップＩＤ衝突識別」、値８で符号化される「送信ＩＤ衝突識別」、値９で符号化される「グループＩＤ衝突識別」、および値１０で符号化される「ＷＵＲ識別子衝突識別応答」。明らかに、これらの値のうちの特定の値のみが使用され得、他の値が使用され得る。
【００９０】
図５ｃは、ＷＵＲアクションフレーム４１０の「ＷＵＲモード要素」の「ＷＵＲパラメータ」フィールド４８０に含まれるサブフィールド５８１のリストを示している。現在のバージョンのＩＥＥＥ８０２．１１ｂａに加えて、（非ＡＰステーションによって）適用されることになる新しい送信ＩＤに対応する第１の新しいサブフィールド「送信ＩＤ」５８４が定義され、（非ＡＰステーションによって）適用されることになる所定のＷＵＲ識別子ハッシュ関数の新しい識別子に対応する第２の新しいサブフィールド「ハッシュ識別子」５８５が定義され、（意図する非ＡＰステーションによって）適用されることになる新しいウェイクアップＩＤに対応する第３の新しいサブフィールド「ウェイクアップＩＤ」５８６はが定義され、（目標の非ＡＰステーションによって）適用されることになる新しいグループＩＤに対応する第４の新しいサブフィールド「グループＩＤ」５８７が定義される。
【００９１】
図６ａおよび６ｂを含む図６は、本発明の実施形態に従った、ブロードキャスト更新情報がＡＰによってネットワークセルの非ＡＰステーションにシグナリングされる間の通信方法のステップを、フローチャートを使用して示している。
【００９２】
これらの実施形態の主な利点は、ブロードキャスト更新情報が、非ＡＰステーションがドーズモードにあるかアウェイクにあるかに関係なく、全ての非ＡＰステーションによって受信されることである。特に、更新情報がＰＣＲモジュールに関係する場合、更新情報を考慮に入れるために、全ての非ＡＰステーションのウェイクアップを待つ必要はない。同様に、更新情報がＷＵＲモジュールに関係する場合、更新情報を考慮に入れるために、全ての非ＡＰステーションのスリープを待つ必要はない。
【００９３】
無線通信システム１００内では、いくつかの非ＡＰステーションの中はアウェイクにあり、他のものはドーズモードにある。非ＡＰステーションがドーズモードにある場合、ＰＣＲフレームを受信することはできないが、ＡＰからのＷＵＲフレームを受信することは可能である。非ＡＰステーションがドーズモードにないとき（すなわち、アウェイクにあるとき）、ＰＣＲフレームを受信することができ、場合によっては、ＷＵＲフレームを受信することができる。
【００９４】
図６ａに示す第１の実施形態によれば、ＡＰは、ＷＵＲモジュールを使用して、ドーズモードにある全ての非ＡＰステーションをウェイクアップし、ＰＣＲモジュールを介して（ＰＣＲフレーム内で）ブロードキャスト更新情報を送信する。
【００９５】
ステップ６００で、ＡＰは、更新情報をネットワークセルの非ＡＰステーションに送信する必要があることを示すイベントを検出する。
【００９６】
そのようなイベントは、ネットワーク条件の変更（例えば、環境要因（例えば、気象条件）、物理的な物体の存在、電気的および／または無線周波数の干渉、またはネットワークセル内の非ＡＰステーションの到着／退出に依存し得る、ＱｏＳの低下）によってトリガされ得る。
【００９７】
このようなイベントはまた、非ＡＰステーションのアドレッシングとしてのネットワーク構成の問題の検出によってトリガされ得る。このイベントは、特に、非ＡＰステーションがネットワークセルに入ったときに高密度であるというコンテキストで発生し得る。このようなコンテキストでは、全ての非ＡＰステーションを管理するために、ＡＰは、ネットワークセルの非ＡＰステーションの構成を更新する必要があり得る。
【００９８】
変形例では、これらのステップは、他のイベントの検出時に実行され得、例えば：
・情報を更新するためのユーザ要求の受信；
・非ＡＰステーションからのメッセージの受信（例えば、ＷＵＲ識別子衝突が発生したことを示す）。
【００９９】
変形例では、これらのステップは、定期的に実行され得、例えば、ＡＰは、全てのステーションがパラメータの同じ値を使用していることを確実にするために、定期的に更新情報を送信する。
【０１００】
次に、ステップ６１０で、ＡＰは、図３を参照して説明したように、ブロードキャストＷＵＲウェイクアップフレームを生成する。より具体的には、フレーム制御フィールド３１０のタイプサブフィールド３１１が１に設定され、アドレスフィールド３２０が送信ＩＤに設定される。
【０１０１】
次に、ステップ６２０において、ＡＰは、ステップ６１０で生成されたブロードキャストＷＵＲウェイクアップフレームをＷＵＲモジュールを介して送信する。一方では、このブロードキャストＷＵＲウェイクアップフレームは、アウェイクの非ＡＰステーションによって無視される。他方では、このブロードキャストＷＵＲウェイクアップフレームは、ドーズモードの全てのステーションをウェイクアップする。無線通信システム１００の全ての非ＡＰステーションは、このステップの終了時にアウェイクしている。
【０１０２】
ステップ６３０で、ＡＰは、（送信されることになる）ブロードキャスト更新情報を含むブロードキャストＰＣＲフレームを生成する。
【０１０３】
ステップ６４０で、ＡＰは、ステップ６３０で生成されたブロードキャストＰＣＲフレームをＰＣＲモジュールを介して送信する。これは、全ての非ＡＰステーションがアウェイクしているので、全ての非ＡＰステーションが受信することができる。
【０１０４】
図６ｂに示す第２の実施形態によれば、ＡＰは、ＰＣＲモジュールおよびＷＵＲモジュールを介して、ブロードキャスト更新情報を別々に送信する。
【０１０５】
まず、ステップ６６０で、ＡＰは、ブロードキャスト更新情報を含むブロードキャストＷＵＲフレームを生成する。
【０１０６】
ステップ６７０で、ＡＰは、ステップ６６０で生成されたブロードキャストＷＵＲフレームを、ＷＵＲを介して送信する。このブロードキャストＷＵＲフレーム（および結果的にブロードキャスト更新情報）は、ドーズモードにある全ての非ＡＰステーションによって受信され得、他のステーションによって無視され得る（非ＡＰステーションにおいてＷＵＲが常にオンである場合を除く）。次に、図６ａのステップ６３０および６４０が実行され、ブロードキャストＰＣＲフレーム（および結果的にブロードキャスト更新情報）は、全てのアウェイクの非ＡＰステーションによって受信され、他のステーションによって無視されるようにする。
【０１０７】
ステップの順序は異なっていてもよい。変形例では、順序は、ステップ６３０、ステップ６４０、ステップ６６０、および次のステップ６７０であり得る。
【０１０８】
さらに、非ＡＰステーションのＷＵＲモジュールが常にオンである場合、ステップ６８０および６９０は不要である。
【０１０９】
一実施形態によれば、ブロードキャスト更新情報は、ＷＵＲモジュールを使用する全ての非ＡＰステーションに適用される所与のＷＵＲパラメータの新しい値を示す。例えば、最小ウェイクアップ継続時間、デューティサイクル周期単位（すなわち、ＷＵＲがオンのときにＷＵＲ非ＡＰステーションがＷＵＲフレームを受信できる期間）、ＷＵＲ動作クラス（ＷＵＲ動作クラスは、ＷＵＲＡＰからＷＵＲ非ＡＰのＳＴＡへのＷＵＲフレームの送信に使用できる全ての利用可能な周波数バンドおよびチャネルに対応する）、ＷＵＲチャネルまたはＷＵＲビーコンのような、ＷＵＲ動作をサポートするために必要なパラメータに関するものであり得る。このような更新は、ＷＵＲ環境が変化したとき、例えば、関連する非ＡＰステーションの数（時間とともに変化する）、または／および無線環境（ノイズが多くまたは少なくなる）が変化したときに必要とされ得る。さらに、図７を参照して説明したように、ＷＵＲ識別子の修正に関するものであり得る。
【０１１０】
他の実施形態によれば、ブロードキャスト更新情報は、全ての非ＡＰステーションに必要な所与のＷＬＡＮパラメータの新しい値を示す。例えば、ＡＰは、関連する非ＡＰステーションの数（時間とともに変化する）、または／および無線環境（ノイズが多くまたは少なくなる）、または／およびトラフィック（データレート、ＱｏＳタイプ、アップリンク／ダウンリンク）に応じて、ハイスループット動作チャネルの幅、または／およびチャネル周波数、または／およびＡＣＫポリシー、または／およびＱｏＳパラメータを変更し得る。
【０１１１】
一実施形態では、ＷＵＲモジュールと８０２．１１ａｘモジュールは同じチャネルを使用している。その場合、「動作クラス」または「チャネルパラメータ」などのパラメータの更新を要求するＷＵＲアクションフレームがＰＣＲによって（例えば、８０２．１１ネットワークを介して）送信されると、ＡＰはまた、各非ＡＰステーションのＷＵＲモジュールでこの更新を送信しなければならない。
【０１１２】
図７ａおよび７ｂを含む図７は、本発明の実施形態に従った、ＷＵＲ識別子修正がＡＰによってネットワークセルの非ＡＰステーションにシグナリングされる間の通信方法のステップを、フローチャートを使用して示している。
【０１１３】
これらの実施形態では、送信ＩＤの新しい値が要求される。
【０１１４】
これらの実施形態では、ブロードキャスト更新情報は、非ＡＰステーションのＷＵＲ識別子の修正に関連する。
【０１１５】
無線通信システム１００内では、いくつかの非ＡＰステーションの中はアウェイクにあり、他のものはドーズモードにあることが想起される。非ＡＰステーションがドーズモードにある場合、ＰＣＲフレームを受信することはできないが、ＡＰからのＷＵＲフレームを受信することは可能である。非ＡＰステーションがドーズモードにないとき（すなわち、アウェイクにあるとき）、ＰＣＲフレームを受信することができ、場合によっては、ＷＵＲフレームを受信することができる。
【０１１６】
図７ａに示す第１の実施形態によれば、ＡＰは、ＷＵＲモジュールを介してドーズモードにある全ての非ＡＰステーションをウェイクアップし、ＰＣＲモジュールを介して（ＰＣＲフレーム内で）ＷＵＲ識別子修正情報を送信する。
【０１１７】
ステップ７００で、ＡＰは、衝突が発生しＷＵＲ識別子修正が必要であり得ることを示すメッセージを受信すると、ＡＰは、新しいＷＵＲ識別子（例えば、新しい送信ＩＤ）を選択し、それを全ステーションにシグナリングし得る。この場合、ステップ６００で検出されたイベントは、衝突を示すメッセージの受信である。
【０１１８】
他の実施形態では、ここで説明したアルゴリズムは、ＡＰが予期しないＰＣＲフレームを受信したときに起動され得る。このような場合は、非ＡＰステーションがウェイクアップＷＵＲフレームを受信し、エラー処理した場合に発生し得る。例えば、ウェイクアップＷＵＲフレームがいくつかの誤ったビットを含み、それにもかかわらず、（図６のステップ６１０で読み出された）アドレスフィールドが、送信ＩＤ、非ＡＰステーションが登録されているグループＩＤ、または非ＡＰステーションのウェイクアップＩＤに対応し、受信されたＦＣＳが計算されたＦＣＳに対応している場合に起こり得る（ステップ６４０の出力はｙｅｓである）。
【０１１９】
ステップ７０５で、ＡＰは、ＷＵＲ識別子修正情報を決定する。
【０１２０】
一実施形態では、ＷＵＲ識別子修正情報は、直接的に、送信ＩＤの新しい値である。例えば、この新しい値は、ＡＰによって既に割り当てられている非ＡＰステーションのウェイクアップＩＤを除いた１〜２０４７の間の値範囲の中からランダムに選択され得る。
【０１２１】
他の実施形態では、ＷＵＲ識別子修正情報は、ＦＣＳを計算するために適用されることになるハッシュ関数の識別子に対応する。ＷＵＲ識別子ハッシュ関数は、４８ビットで符号化されたＢＳＳＩＤから１２ビットの送信ＩＤの値を計算し得る関数である。この場合、ハッシュ関数はフィンガープリント関数である。
【０１２２】
ＡＰステーションおよび非ＡＰステーションは、ＡＰステーションおよび非ＡＰステーションが実装可能なＷＵＲ識別子ハッシュ関数の所定のリストを（ランダムアクセスメモリ２１２に）記憶し得る。例えば、フィンガープリント関数は、ＡＰのＢＳＳＩＤの最初の（または最後の）１２ビットであり得る。また、ＸＯＲに基づいていてもよい。例えば、ＢＳＳＩＤ［０：１１］  ＸＯＲ  ＢＳＳＩＤ［１２：２３］  ＸＯＲ  ＢＳＳＩＤ［２４：３５］  ＸＯＲ  ＢＳＳＩＤ［３６：４７］に等しくあり得、ＢＳＳＩＤ［ｋ，ｌ］は、ｋ番目のビットとｌ番目のビットとの間のＡＰのＢＳＳＩＤの（ｌ−ｋ）ビットに対応する。
【０１２３】
ＷＵＲ識別子ハッシュ関数の所定のリストが、好ましくは、ＡＰと全ての非ＡＰステーションとの間で同じであることに注意し得る。同様に、ハッシュ識別子は、同じＷＵＲ識別子ハッシュ関数に対応し得る。
【０１２４】
次に、ステップ７１０で、ＡＰは、図３を参照して説明したように、ブロードキャストＷＵＲウェイクアップフレームを生成する。より具体的には、フレーム制御フィールド３１０のタイプサブフィールド３１１が１に設定され、アドレスフィールド３２０が現在の送信ＩＤに設定される。アドレスフィールド３２０は、ステップ７０５で決定された送信ＩＤに設定されていないことに注意すべきである。
【０１２５】
ステップ７２０で、ＡＰは、ステップ７１０で生成されたブロードキャストＷＵＲウェイクアップフレームをＷＵＲモジュールを介して送信する。一方では、このブロードキャストＷＵＲウェイクアップフレームは、アウェイクの非ＡＰステーションによって無視され得る。他方では、このブロードキャストＷＵＲウェイクアップフレームは、ドーズモードの全てのステーションをウェイクアップさせ得る。したがって、無線通信システム１００の全ての非ＡＰステーションは、このステップの終了時にアウェイクしている。
【０１２６】
ステップ７３０で、ＡＰは、（送信されことになる）ブロードキャスト更新情報を含むブロードキャストＰＣＲフレームを生成する。そのために、ＡＰは、図４を参照して説明したように、ＷＵＲアクションフレームを生成する。アクションタイプフィールド４７６は、図５を参照して説明したテーブル５７７に従って割り当てられ、「ＷＵＲ識別子衝突識別応答」に対応する１０に設定される。さらに、ＷＵＲアクションフレームは、テーブル５８１に従って割り当てられたＷＵＲパラメータフィールド４８０を含む。
【０１２７】
本発明の実施形態によれば、ＷＵＲ識別子修正情報が適用されることになる送信ＩＤの新しい値に対応する場合、ＷＵＲパラメータフィールド４８０は、適用されることになる新しい送信ＩＤの値に対応するサブフィールド「送信ＩＤ」５８４を含む。
【０１２８】
本発明の実施形態によれば、ＷＵＲ識別子修正情報が適用されることになるハッシュ識別子の新しい値に対応する場合、ＷＵＲパラメータフィールド４８０は、適用されることになる新しいハッシュ識別子の値に対応するサブフィールド「ハッシュ識別子」５８４を含む。
【０１２９】
ステップ７４０で、ＡＰは、ステップ７３０で生成されたブロードキャストＰＣＲフレームをＰＣＲモジュールを介して送信する。ステップ７２０の終了時には全ての非ＡＰステーションがアウェイクしているので、ＢＳＳの全ての非ＡＰステーションによって受信され得る。各非ＡＰステーションは、ブロードキャストＰＣＲフレームを復号する。
【０１３０】
本発明のいくつかの実施形態によれば、ＷＵＲ識別子修正情報が適用されることになる送信ＩＤの新しい値に対応する場合、（例えば、ブロードキャストウェイクアップフレームを送信するために）ＡＰは、これから適用される新たに受信した送信ＩＤを直接記憶する。
【０１３１】
本発明の他の実施形態によれば、ＷＵＲ識別子修正情報が適用されることになるハッシュ識別子の新しい値に対応する場合、受信したハッシュ識別子に対応するＷＵＲ識別子ハッシュ関数を復元し、ＢＳＳＩＤと復元したＷＵＲ識別子ハッシュ関数から適用されることになる新しい送信ＩＤを計算する必要がある。
【０１３２】
図７ｂに示す第２の実施形態によれば、ＡＰは、ＰＣＲモジュールおよびＷＵＲモジュールを介して、ブロードキャスト更新情報を別々に送信する。
【０１３３】
この第２の実施形態の主な利点は、マルチキャスト更新情報が、状態に関係なく全てのステーションによって受信されることである。特に、所与の非ＡＰステーションがマルチキャスト更新情報を受信するために、ウェイクアップを待つ必要はない。換言すると、非ＡＰステーションが更新情報を受信中にドーズモードになった場合には、ウェイクアップした時点で処理を行う。非ＡＰステーションがアウェイクになった後は、それ以上のメッセージの交換は不要である。
【０１３４】
ステップ７００、７０５、７３０、７９０は、図７ａの第１の実施形態と同様である。
【０１３５】
ステップ７０５の後、ＡＰは、ステップ７６０で、ＷＵＲ識別子修正情報を含むブロードキャストＷＵＲフレームを生成する。
【０１３６】
第１の実施例では、ブロードキャストＷＵＲフレームは、ビーコンフレームがＷＵＲ識別子修正情報にも対応することを示すために、フレーム制御フィールド３１０に含まれる専用の１ビットフィールドを有するＷＵＲビーコンフレームに対応する。より具体的には、専用の１ビットフィールドは、フレーム制御フィールド３１０の予約フィールド３１５に含まれ得る。第１の実施形態によれば、ＷＵＲ識別子修正情報は、フレーム制御フィールド３１０の予約フィールド３１５に含まれ得る。第２の実施形態によれば、ＷＵＲ識別子修正情報は、ＷＵＲビーコンフレームのペイロードフィールド３４０に含まれ得る。
【０１３７】
第２の実施例では、ブロードキャストＷＵＲフレームは、新しいタイプのＷＵＲフレームに対応する。より正確には、フレーム制御フィールド３１０のタイプサブフィールド３１１は、テーブル５１２に従って割り当てられ、「ＷＵＲブロードキャスト識別子修正」に対応する値４に設定される。さらに、アドレスフィールド３２０は、現在の送信ＩＤに設定される。アドレスフィールド３２０は、ステップ７０５で決定された送信ＩＤに設定されていないことに注意すべきである。ＷＵＲ識別子修正情報は、ブロードキャストＷＵＲフレームのペイロードフィールド３４０内に含まれる。
【０１３８】
ステップ７７０で、ＡＰは、ステップ７６０で生成されたブロードキャストＷＵＲフレームをＷＵＲモジュールを介して送信する。このブロードキャストＷＵＲフレーム（および結果的にブロードキャスト更新情報）は、ドーズモードの全ての非ＡＰステーションによって受信され得、ＷＵＲモジュールが常にオンである非ＡＰステーションを除いた他のステーションによって無視され得る。
【０１３９】
次に、図７ａのステップ７３０および７４０が実行される。
【０１４０】
ステップの順序は異なっていてもよい。例えば、ステップの順序は、ステップ７０５、７３０、ステップ７４０、ステップ７６０、および次のステップ７７０の順であり得る。
【０１４１】
さらに、非ＡＰステーションのＷＵＲモジュールが常にオンである場合、ステップ７３０および７４０は不要である。
【０１４２】
図８は、本発明の実施形態に従った、更新情報がＡＰによって所与の非ＡＰステーションにシグナリングされる間の通信方法のステップを、フローチャートを使用して示している。
【０１４３】
これらの実施形態の主な利点は、非ＡＰステーションがドーズモードにあるかアウェイクにあるかに関係なく、ユニキャスト更新情報が受信されることである。特に、ユニキャスト更新情報を受信するために、非ＡＰステーションがウェイクアップを待つ必要はない。
【０１４４】
ステップ８００で、ＡＰは、更新情報をネットワークセルの所与の非ＡＰステーションに送信する必要があることを示すイベントを検出する。
【０１４５】
そのようなイベントは、ネットワーク条件の変更（例えば、環境要因（例えば、気象条件）、物理的な物体の存在、電気的および／または無線周波数の干渉、ネットワークセル内の非ＡＰステーションの到着／退出、またはＡＰと所与の非ＡＰステーションとの間の距離の増加に依存し得る、ＱｏＳの低下）によってトリガされ得る。
【０１４６】
このようなイベントはまた、所与の非ＡＰステーションのアドレッシングなどのネットワーク構成の問題の検出によってトリガされ得る。
【０１４７】
変形例では、これらのステップは、他のイベントの検出時に実行され得、例えば：
・情報を更新するためのユーザ要求の受信；
・非ＡＰステーションからのメッセージの受信（例えば、ＷＵＲ識別子衝突が発生したことを示す）。
【０１４８】
変形例では、これらのステップ、は定期的に実行され得、例えば、ＡＰは、全てのステーションがパラメータの同じ値を使用していることを確実にするために、定期的に更新情報を送信する。
【０１４９】
次に、ステップ８１０で、ＡＰは、非ＡＰステーション（以下、目標の非ＡＰステーションと呼ぶ）の状態を決定する：ドーズモードであるか、またはアウェイクであるかのいずれか。
【０１５０】
目標の非ＡＰステーションがアウェイクである場合（８２０の出力がｙｅｓ）、次のステップは８５０である。そうでなければ、次のステップは８３０である。
【０１５１】
ステップ８３０で、ＡＰは、ユニキャスト更新情報を含むユニキャストＷＵＲフレームを生成する。次に、ステップ８４０で、ＡＰは、ＷＵＲがオンであるので、目標の非ＡＰステーションによって受信可能なＷＵＲモジュールを介してユニキャストＷＵＲフレームを送信する。
【０１５２】
ステップ８５０で、ＡＰは、ユニキャスト更新情報を含むユニキャストＰＣＲフレームを生成する。次に、ステップ８６０で、ＡＰは、ＰＣＲがオンであるので、目標の非ＡＰステーションによって受信可能なＰＣＲモジュールを介してユニキャストＰＣＲフレームを送信する。
【０１５３】
さらに、非ＡＰステーションのＷＵＲモジュールが常にオンである場合には、ステップ８３０および８４０のみを実施してもよい。
【０１５４】
一実施形態によれば、ユニキャスト更新情報は、ＷＵＲモジュールを使用する特定の非ＡＰステーションに必要な所与のＷＵＲパラメータの新しい値を示し得る。例えば、開始点としてのデューティサイクル（ＷＵＲがオンの場合にＷＵＲ非ＡＰステーションがＷＵＲフレームを受信することができる期間）パラメータ、オン継続時間、デューティサイクル継続時間などであり得る。
【０１５５】
他の実施形態によれば、ユニキャスト更新情報は、全ての非ＡＰステーションに必要な所与のＷＬＡＮパラメータの新しい値を示し得る。それは、例えばＱｏＳパラメータ（ＥＤＣＡパラメータ）を修正することによって、特定の非ＡＰステーションを有利にしたりペナルティを与えたりするのに関連し得る。さらに、無線環境（ノイズが多くまたは少なくなる）に応じて、データを受信／送信するため送信を非常に迅速に適応させ信頼性を高めるために、変調および符号化スキームなどのいくつかのパラメータを修正し得る。
【０１５６】
さらに、図９を参照して説明したように、ウェイクアップＩＤとしてのＷＵＲ識別子の修正に関連し得る。
【０１５７】
他の実施形態によれば、ユニキャスト更新情報は、特定の非ＡＰステーションの所与のＷＬＡＮパラメータの新しい値を示す。例えば、変調および符号化スキーム（ＭＣＳ）、ＲＴＳ閾値、ショートリトライリミット、ＯＣＷｍｉｎ、またはＴＢＴＴあたりのトリガフレーム数など、送信をサポートするために８０２．１１で定義された任意のパラメータに関連し得る。
【０１５８】
図８ｂは、図８ａの変形例に従った、更新情報がＡＰによって所与の非ＡＰステーションにシグナリングされる間の通信方法のステップを、フローチャートを使用して示している。
【０１５９】
この変形例によれば、ステップ８２０で目標の非ＡＰステーションがウェイクアップしていないと決定されると、ＡＰは、ステップ８７０でユニキャストＷＵＲウェイクアップフレーム（フレーム制御フィールド３１０のタイプサブフィールド３１１が１に設定され、アドレスフィールド３２０が非ＡＰステーションのウェイクアップＩＤに設定されている）を生成する。
【０１６０】
次に、ＡＰは、ユニキャストＷＵＲウェイクアップフレームを目標の非ＡＰステーションに送信する。
【０１６１】
その後、ステップ８５０および８６０は、図８ａを参照して説明したように実行される。
【０１６２】
この代替例は、ＡＰが非ＡＰステーションの状態を知らない場合に特に興味深くなり得る。
【０１６３】
図９は、本発明の実施形態に従った、ＷＵＲ識別子修正がＡＰによって所与の非ＡＰステーションにシグナリングされる間の通信方法のステップを、フローチャートを使用して示している。これらの実施形態では、ウェイクアップＩＤの新しい値が非ＡＰステーションによって要求される。
【０１６４】
これらの実施形態では、更新情報は、非ＡＰステーションのＷＵＲ識別子の修正に関連する。
【０１６５】
最初のステップ９００で、ＡＰは、非ＡＰステーション（以下、目標の非ＡＰステーションと呼ぶ）から、ＷＵＲ識別子間の衝突が発生したことを示すフレームを受信する。
【０１６６】
本発明の他の実施形態では、ここで説明されるアルゴリズムは、ＡＰが予期しないＰＣＲフレームを受信したときに起動され得る。このようなケースは、非ＡＰステーションがウェイクアップＷＵＲフレームを受信し、エラー処理した場合に発生し得る。例えば、ウェイクアップＷＵＲフレームがいくつかの誤ったビットを含み、それにもかかわらず、（図６のステップ６１０で読み出された）アドレスフィールドが、送信ＩＤ、非ＡＰステーションが登録されているグループＩＤ、または非ＡＰステーションのウェイクアップＩＤに対応し、受信されたＦＣＳが計算されたＦＣＳに対応している場合に起こり得る（ステップ６４０の出力はｙｅｓである）。
【０１６７】
ステップ９０５で、ＡＰは、ＷＵＲ識別子修正情報を決定する。この例では、ＷＵＲ識別子修正情報は、直接的に、ウェイクアップＩＤの新しい値である。例えば、この新しい値は、ＡＰによって既に割り当てられている非ＡＰステーションのウェイクアップＩＤとＡＰの送信ＩＤを除いた１〜２０４７の間の値範囲の中からランダムに選択され得る。
【０１６８】
次に、ステップ９１０で、ＡＰは、目標の非ＡＰステーションの状態を決定する：ドーズモードであるか、またはアウェイクであるかのいずれか。
【０１６９】
目標の非ＡＰステーションがアウェイクである場合（９２０の出力がｙｅｓ）、次のステップは９５０である。そうでなければ、次のステップは９３０である。
【０１７０】
ステップ９３０で、ＡＰは、ＷＵＲ識別子修正情報を含むユニキャストＷＵＲフレームを生成する。ユニキャストＷＵＲフレームは、新しいタイプのＷＵＲフレームに対応する。より詳細には、フレーム制御フィールド３１０のタイプサブフィールド３１１は、テーブル５１２に従って割り当てられ得、「ＷＵＲユニキャスト識別子修正」に対応する値５に設定され得る。さらに、アドレスフィールド３２０は、現在のウェイクアップＩＤに設定され得、ステップ９０５で決定されたウェイクアップＩＤではない。ＷＵＲ識別子修正情報は、ユニキャストＷＵＲフレームのペイロードフィールド３４０に含まれ得る。
【０１７１】
次のステップ９４０で、ＡＰは、生成されたユニキャストＷＵＲフレームをＷＵＲモジュールを介して送信し、このフレームは、ＷＵＲがオンであるので、目標の非ＡＰステーションによって受信され得る。
【０１７２】
ステップ９５０で、ＡＰは、ＷＵＲ識別子修正情報を含むユニキャストＰＣＲフレームを生成する。そのために、ＡＰは、図４を参照して説明したように、ＷＵＲアクションフレームを生成する。アクションタイプフィールド４７６は、図５を参照して説明したテーブル５７７に従って割り当てられ得、「ＷＵＲ識別子衝突識別応答」に対応する１０に設定され得る。さらに、ＷＵＲアクションフレームは、テーブル５８１に従って割り当てられたＷＵＲパラメータフィールド４８０を含み得る。本発明の実施形態によれば、ＷＵＲ識別子修正情報が適用されることになるウェイクアップＩＤの新しい値に対応する場合、ＷＵＲパラメータフィールド４８０は、適用されることになるウェイクアップＩＤの値に対応するサブフィールド「ウェイクアップＩＤ」５８６を含み得る。
【０１７３】
次のステップ９６０で、ＡＰは、ＰＣＲがオンであるので、目標の非ＡＰステーションによって受信され得る、生成されたユニキャストＰＣＲフレームを、ＰＣＲを介して送信する。
【０１７４】
非ＡＰステーションのＷＵＲモジュールが常にオンである場合には、ステップ９３０のみが実施され得る。
【０１７５】
本発明は、特定の実施形態を参照して本明細書に記載されているが、本発明は、当該特定の実施形態に限定されるものではなく、本発明の範囲内にある修正は、当業者には明らかであろう。
【０１７６】
前述の例示的な実施形態を参照すると、当業者には、多くのさらなる修正および変形が示唆されるであろうが、これらは例示のためだけに与えられたものであり、本発明の範囲を限定することを意図したものではなく、本発明の範囲は添付の特許請求の範囲によってのみ決定される。特に、異なる実施形態の異なる特徴は、適切な場合には、相互に交換され得る。
【０１７７】
特許請求の範囲において、用語「含む（ｃｏｍｐｒｉｓｉｎｇ）」は、他の要素またはステップを排除するものではなく、不定冠詞「１つの（ａ）」または「１つの（ａｎ）」は、複数の要素を排除するものではない。異なる特徴が相互に異なる従属請求項で引用されているという単なる事実は、これらの特徴の組み合わせが有利に使用されないことを示すものではない。
【図１】
2021520148.tif 000003
【図２】
2021520148.tif 000004
【図３】
2021520148.tif 000005
【図４】
2021520148.tif 000006
【図５】
2021520148.tif 000007
【図６】
2021520148.tif 000008
【図７】
2021520148.tif 000009
【図８ａ】
2021520148.tif 000010
【図８ｂ】
2021520148.tif 000011
【図９】
2021520148.tif 000012
【国際調査報告】
2021520148.tif 000013
2021520148.tif 000014